(57)【要約】【課題】吸収性を備え、且つ傷に対する固着性を改善した傷手当用品を提供する。【解決手段】上面及び底面を有し複数の貫通孔２１を有する孔開き材料２０と、孔開き材料の上面に配置される吸収体３０とを備えた傷手当用品１０において、孔開き材料２０の少なくとも底面が、貫通孔の全部が塞がれることがないように貫通孔の少なくとも一部を残してシリコーン樹脂４０で被覆され、吸収体の孔開き材料の貫通孔と対向する部分３１の一部が、シリコーン樹脂４０で被覆され、孔開き材料の底面側から吸収体内部へ液体が通過し得るようにしたものとする。【選択図】図１
2010122665.tif 000002
【特許請求の範囲】
【請求項１】
上面及び底面を有し複数の貫通孔を有する孔開き材料と、孔開き材料の上面に配置される吸収体とを備えた傷手当用品において、
孔開き材料の少なくとも底面が、貫通孔の全部が塞がれることがないように貫通孔の少なくとも一部を残して低粘着性樹脂で被覆され、
吸収体の孔開き材料の貫通孔と対向する部分の少なくとも一部が、低粘着性樹脂で被覆され、
孔開き材料の底面側から吸収体内部へ液体が通過し得るようにしたことを特徴とする傷手当用品。
【請求項２】
上面及び底面を有し複数の貫通孔を有する孔開き材料と、孔開き材料の上面に配置される吸収体とを備えた傷手当用品において、
孔開き材料の上面及び底面が、貫通孔の全部が塞がれることがないように貫通孔の少なくとも一部を残して低粘着性樹脂で被覆され、
吸収体の孔開き材料の貫通孔と対向する部分の少なくとも一部が、低粘着性樹脂で被覆され、
孔開き材料と吸収体とが、孔開き材料の上面に位置する低粘着性樹脂により接着され、
孔開き材料の底面側から吸収体内部へ液体が通過し得るようにしたことを特徴とする傷手当用品。
【請求項３】
低粘着性樹脂がシリコーン樹脂であることを特徴とする請求項１又は２に記載の傷手当用品。
【請求項４】
低粘着性樹脂が、粘着性ゲルであることを特徴とする請求項１〜３のいずれか１項に記載の傷手当用品。
【請求項５】
低粘着性樹脂が、孔開き材料の底面から内部に浸透し孔開き材料の上面に至っていることを特徴とする請求項１〜４のいずれか１項に記載の傷手当用品。
【請求項６】
吸収体の孔開き材料の貫通孔と対向する部分が、孔開き材料の底面側から吸収体内部へ液体が通過することを阻害しない程度に低粘着性樹脂で被覆されていることを特徴とする請求項１〜５のいずれか１項に記載の傷手当用品。
【請求項７】
孔開き材料の底面のほぼ全面が、貫通孔のほぼ全部が塞がれることがないように貫通孔のほぼ全部を残して低粘着性樹脂で被覆され、吸収体の孔開き材料のほぼ全部の貫通孔と対向する部分が、低粘着性樹脂で被覆されていることを特徴とする請求項１〜６のいずれか１項に記載の傷手当用品。
【請求項８】
孔開き材料が、０．０1〜１０ｍｍ2の貫通孔平均断面積と、５〜７０％の開孔率とを備えることを特徴とする請求項１〜７のいずれか１項に記載の傷手当用品。
【請求項９】
上面及び底面を有し複数の貫通孔を有する孔開き材料と、孔開き材料の上面に配置される吸収体とを備え、孔開き材料の少なくとも底面が、貫通孔の全部が塞がれることがないように貫通孔の少なくとも一部を残して低粘着性樹脂で被覆され、吸収体の孔開き材料の貫通孔と対向する部分の少なくとも一部が、低粘着性樹脂で被覆され、孔開き材料の底面側から吸収体内部へ液体が通過し得るようにした傷手当用品の製造方法であって、
（Ｐ１）剥離シートに低粘着性樹脂を塗工する工程、
（Ｐ２）硬化前の低粘着性樹脂塗工面に孔開き材料を載せ、孔開き材料の上面に吸収体を載せ、孔開き材料及び吸収体に低粘着性樹脂を被覆する工程、
（Ｐ３）低粘着性樹脂を加熱硬化させる工程、
からなることを特徴とする傷手当用品の製造方法。
【請求項１０】
上面及び底面を有し複数の貫通孔を有する孔開き材料と、孔開き材料の上面に配置される吸収体とを備え、孔開き材料の上面及び底面が、貫通孔の全部が塞がれることがないように貫通孔の少なくとも一部を残して低粘着性樹脂で被覆され、吸収体の孔開き材料の貫通孔と対向する部分の少なくとも一部が、低粘着性樹脂で被覆され、孔開き材料と吸収体とが、孔開き材料の上面に位置する低粘着性樹脂により接着され、孔開き材料の底面側から吸収体内部へ液体が通過し得るようにした傷手当用品の製造方法であって、
（Ｐ１）剥離シートに低粘着性樹脂を塗工する工程、
（Ｐ２Ａ）硬化前の低粘着性樹脂塗工面に孔開き材料を載せ、孔開き材料の上面に吸収体を載せ、低粘着性樹脂を孔開き材料の底面から内部に浸透させ孔開き材料の上面に至らせることで孔開き材料と吸収体とを低粘着性樹脂により接着すると共に、孔開き材料及び吸収体に低粘着性樹脂を被覆する工程、
（Ｐ３）低粘着性樹脂を加熱硬化させる工程、
からなることを特徴とする傷手当用品の製造方法。
【請求項１１】
低粘着性樹脂がシリコーン樹脂であることを特徴とする請求項９又は１０に記載の傷手当用品の製造方法。
【発明の詳細な説明】
【技術分野】
【０００１】
本発明は、傷の保護、治療に使用する傷手当用品とその製造方法に関する。
【背景技術】
【０００２】
熱傷、褥瘡、及びその他の損傷の治療において、傷を保護し、傷からの体液を吸収するために、従来、ガーゼ、脱脂綿、吸収性繊維からなる層を含む多層構造のパッド等の傷手当用品が用いられている。
しかし、これらの傷手当用品は、手当用品を適用後交換する際に創傷面を傷つけ、痛みや、出血、創傷の治癒遅延を招くことがあった。
一方で、傷手当用品は、固定等の取り扱い性、体液の漏れによる傷周辺皮膚への浸軟を防止する目的で、創傷部また周辺皮膚部に対し粘着性であることが望ましい。
しかしながら、従来の粘着層（例えばアクリル系接着剤、ゴム系接着剤）を備えた傷手当用品は、粘着力が強すぎる傾向があり、交換時に創傷部に固着することで脆弱な新生表皮組織に損傷を与え、組織の治療を遅延する原因となっていた。【０００３】
このような背景から、傷手当用品において、創傷部に接触する材料としては、生体組織に対し微弱な粘着力を有するものを用いることが好ましい。特には、生体に対する親和性の低いシリコーン樹脂からなる材料が好ましい。【０００４】
この粘着性のシリコーン樹脂を用いた傷手当用品の例をあげると、例えば、特許文献１ではシリコーンゲルが弾性網状補強物の貫通孔を残して、網の全構成要素をシールした傷手当用品を開示している。特許文献１の技術によれば、このシリコーン樹脂を創傷接触材料に用いることで傷への固着性は改善する。
しかしながら、特許文献１記載の傷手当用品は吸収性を有さないことから、何らかの吸収材料と併用する手間があった。また、この傷手当用品に、仮に吸収体を併用した場合には、傷手当用品の貫通孔の部分から吸収体が露出されてしまう。このため貫通孔の部分においては、創傷部の新生組織と容易に固着する危険性があった。【０００５】
また、特許文献２では、空気不浸透性且つ体液不浸透性の孔開き層材料（キャリヤー材料）の片面をシリコーンゲルで被膜した傷手当用品が教示されている。この傷手当用品は吸収体を具備しているため、特許文献１の課題であった吸収体と併用する手間がない。しかしながら、特許文献２記載の傷手当用品は、特許文献1記載の傷手当用品と同じく、貫通孔の部分においては適用した吸収体が露出された状態になるため、新生組織と容易に固着する危険性に関しては解決できていない。【０００６】
【特許文献１】特許第２５２５２１５号公報
【特許文献２】特許３６７７２８３号公報
【発明の開示】
【発明が解決しようとする課題】
【０００７】
この発明は、上記のような点に鑑みてなされたもので、本発明の課題は、吸収性を備え、且つ傷に対する固着性を改善した傷手当用品を提供することにある。
【課題を解決するための手段】
【０００８】
上述の課題を解決するため本発明によれば、上面及び底面を有し複数の貫通孔を有する孔開き材料と、孔開き材料の上面に配置される吸収体とを備えた傷手当用品において、孔開き材料の少なくとも底面が、貫通孔の全部が塞がれることがないように貫通孔の少なくとも一部を残して低粘着性樹脂で被覆され、吸収体の孔開き材料の貫通孔と対向する部分の少なくとも一部が、低粘着性樹脂で被覆され、孔開き材料の底面側から吸収体内部へ液体が通過し得るようにしたことを特徴とする。前記発明において、孔開き材料の上面が、貫通孔の全部が塞がれることがないように貫通孔の少なくとも一部を残して低粘着性樹脂で被覆されることが好ましい。【０００９】
また、本発明は、上面及び底面を有し複数の貫通孔を有する孔開き材料と、孔開き材料の上面に配置される吸収体とを備えた傷手当用品において、孔開き材料の上面及び底面が、貫通孔の全部が塞がれることがないように貫通孔の少なくとも一部を残して低粘着性樹脂で被覆され、吸収体の孔開き材料の貫通孔と対向する部分の少なくとも一部が、低粘着性樹脂で被覆され、孔開き材料と吸収体とが、孔開き材料の上面に位置する低粘着性樹脂により接着され、孔開き材料の底面側から吸収体内部へ液体が通過し得るようにしたことを特徴とする。【００１０】
さらに、前記発明の実施態様としては下記の発明が好ましい。即ち、低粘着性樹脂がシリコーン樹脂であることが好ましい。低粘着性樹脂は、粘着性ゲルとすることが好ましい。また、孔開き材料の貫通孔の内周面が、貫通孔の全部が塞がれることなく低粘着性樹脂で被覆されていることが好ましい。さらに、低粘着性樹脂が、孔開き材料の底面から内部に浸透し孔開き材料の上面に至っていることが好ましい。このような、低粘着性樹脂を孔開き材料に浸透させる態様としては、孔開き材料と吸収体とが、孔開き材料の底面から内部に浸透し孔開き材料の上面に至っている低粘着性樹脂により、接着される態様が好ましい。また、吸収体の孔開き材料の貫通孔と対向する部分が、孔開き材料の底面側から吸収体内部へ液体が通過することを阻害しない程度に低粘着性樹脂で被覆されていることが好ましい。また、孔開き材料の底面のほぼ全面が、貫通孔のほぼ全部が塞がれることがないように貫通孔のほぼ全部を残して低粘着性樹脂で被覆され、吸収体の孔開き材料のほぼ全部の貫通孔と対向する部分が、低粘着性樹脂で被覆されていることが好ましい。さらに、孔開き材料及び吸収体を被覆する低粘着性樹脂量が、１５０〜３５０ｇ／ｍ2であることが好ましい。また、孔開き材料が、厚さ０．０５〜０．７ｍｍの編布であることが好ましい。さらに、孔開き材料が、０．０1〜１０ｍｍ2の貫通孔平均断面積と、５〜７０％の開孔率とを備えることが好ましい。【００１１】
また、前記傷手当用品の製造方法の発明としては、下記の発明が好ましい。即ち、
上面及び底面を有し複数の貫通孔を有する孔開き材料と、孔開き材料の上面に配置される吸収体とを備え、孔開き材料の少なくとも底面が、貫通孔の全部が塞がれることがないように貫通孔の少なくとも一部を残して低粘着性樹脂で被覆され、吸収体の孔開き材料の貫通孔と対向する部分の少なくとも一部が、低粘着性樹脂で被覆され、孔開き材料の底面側から吸収体内部へ液体が通過し得るようにした傷手当用品の製造方法であって、下記の工程を含むことを特徴とする。
（Ｐ１）剥離シートに低粘着性樹脂を塗工する工程
（Ｐ２）硬化前の低粘着性樹脂塗工面に孔開き材料を載せ、孔開き材料の上面に吸収体を載せ、孔開き材料及び吸収体に低粘着性樹脂を被覆する工程
（Ｐ３）低粘着性樹脂を加熱硬化させる工程【００１２】
さらに、本発明の製造方法としては、下記の発明が好ましい。即ち、
上面及び底面を有し複数の貫通孔を有する孔開き材料と、孔開き材料の上面に配置される吸収体とを備え、孔開き材料の上面及び底面が、貫通孔の全部が塞がれることがないように貫通孔の少なくとも一部を残して低粘着性樹脂で被覆され、吸収体の孔開き材料の貫通孔と対向する部分の少なくとも一部が、低粘着性樹脂で被覆され、孔開き材料と吸収体とが、孔開き材料の上面に位置する低粘着性樹脂により接着され、孔開き材料の底面側から吸収体内部へ液体が通過し得るようにした傷手当用品の製造方法であって、下記の工程を含むことを特徴とする。
（Ｐ１）剥離シートに低粘着性樹脂を塗工する工程
（Ｐ２Ａ）硬化前の低粘着性樹脂塗工面に孔開き材料を載せ、孔開き材料の上面に吸収体を載せ、低粘着性樹脂を孔開き材料の底面から内部に浸透させ孔開き材料の上面に至らせることで孔開き材料と吸収体とを低粘着性樹脂により接着すると共に、孔開き材料及び吸収体に低粘着性樹脂を被覆する工程
（Ｐ３）低粘着性樹脂を加熱硬化させる工程【００１３】
さらに、前記製造方法の発明の実施態様としては、低粘着性樹脂がシリコーン樹脂であることが好ましい。
【発明の効果】
【００１４】
本発明の傷手当用品は、傷接触面となる孔開き材料及び吸収体の双方が低粘着性樹脂で被覆されているため、新生肉芽組織が孔開き材料の貫通孔から侵入してきても傷手当用品が傷面と強く付着することを防止でき、脆弱な新生表皮組織に損傷を与えることなく傷手当用品の除去、交換等を行うことができる。また、本発明の傷手当用品は、傷からの滲出液を傷表面から速やかに吸収体に吸い上げるため、過剰な滲出液による皮膚浸軟や創治癒遅延も防ぐことができる。さらに、本発明の製造方法によれば、上記の傷手当用品が容易に製造できる。
【図面の簡単な説明】
【００１５】
【図１】本発明の実施形態に係る傷手当用品を示す図。
【図２】本発明の異なる実施形態に係る傷手当用品を示す図。
【図３】本発明のさらに異なる実施形態に係る傷手当用品を示す図。
【図４】本発明の傷手当用品の製造方法を説明する図。
【図５】本発明の傷手当用品の連続的な製造方法を説明する図。
【図６】本発明の実施例１について孔開き材料側から拡大して示す図。
【図７】本発明の実施例２について孔開き材料側から拡大して示す図。
【図８】比較例１について孔開き材料側から拡大して示す図。
【図９】比較例１に関する固着性評価結果の説明図。
【図１０】本発明の実施例１に関する固着性評価結果の説明図。
【符号の説明】
【００１６】
１０  傷手当用品
２０  孔開き材料
２１  貫通孔
３０  吸収体
３１  貫通孔と対向する部分
４０，５２  シリコーン樹脂
５０，５１  カバー材
６０  剥離シート
７０  荷重
【発明を実施するための最良の形態】
【００１７】
図１〜５に基づき、本発明の実施形態について以下に述べる。各実施形態の共通部分には、同じ番号の符号を用いて説明する。【００１８】
図１は、本発明の傷手当用品に係る実施形態で、ａ）は上面からみた斜視図、ｂ）は底面からみた斜視図、ｃ）はａ）図のＣ−Ｃ線に沿う拡大断面図を示す。【００１９】
本発明の傷手当用品１０は、上面及び底面を有する孔開き材料２０と、孔開き材料２０の上面に配置される吸収体３０とを備える。孔開き材料２０は、編布から形成され、その編構造により複数の貫通孔２１が形成され、その底面側が傷に対向する面となる。
孔開き材料２０の上面、底面、及び貫通孔２１の内周面２２は、貫通孔２１の孔全部が塞がれることがないように孔の少なくとも一部（本実施形態では貫通孔の全部）を残してゲル状の粘着性シリコーン樹脂４０で被覆される。すなわち、本発明の傷手当用品１０は、孔開き材料の底面側から吸収体３０の内部へ血液、滲出液等の液体が通過し得るように、孔開き材料２０の上面から底面を貫通する孔の少なくとも一部（本実施形態では貫通孔の全部）を残したままシリコーン樹脂４０が孔開き材料２０を被覆する構成を有する。なお、後述するように、通常は、傷手当用品の使用前におけるシリコーン樹脂被覆層および孔開き材料の保護用材料として、図示しない剥離シートが、シリコーン樹脂４０の底面側に設けられる。
また、吸収体３０においては、孔開き材料２０の貫通孔２１と対向する部分３１の一部が、孔開き材料の底面側から吸収体内部へ血液、滲出液等の液体が通過することを阻害しない程度にゲル状の粘着性シリコーン樹脂で被覆されている。吸収体３０として、後述するように、例えば、不織布を用いた場合、不織布の一部にシリコーン樹脂がからんで付着し、残りの部分には、シリコーン樹脂が付着せずに液体が通過可能な状態となるように、シリコーン樹脂で不織布の一部が被覆される。【００２０】
図１に係る実施形態のように、孔開き材料２０の表面全部、すなわち、孔開き材料２０の上面、底面、及び貫通孔の内周面をシリコーン樹脂４０で被覆し、さらに吸収体３０の孔開き材料２０の貫通孔２１と対向する部分３１の一部をシリコーン樹脂４０で被覆することにより、治癒により新生肉芽組織が孔開き材料の貫通孔に侵入した場合でも、傷に対する高い非固着性を維持することができ、かつ傷からの滲出液を傷表面から速やかに吸収体に吸い上げることができる。【００２１】
また、図１の実施形態においては、ゲル状の粘着性シリコーン樹脂４０が孔開き材料２０の底面からその編布内部に浸透し、孔開き材料の上面に至っている。そして、孔開き材料の上面に存在するこのシリコーン樹脂４０により、孔開き材料２０と吸収体３０とが接着されている。このように、図１の実施形態に係る傷手当用品１０は、１種類の粘着性のシリコーン樹脂４０により、孔開き材料及び吸収体のシリコーン樹脂による被覆、並びに孔開き材料及び吸収体の一体化を行っているため、材料構成がシンプルで、製造工程が極めて簡単となる。【００２２】
５０は、吸収体３０の上面に被覆されるカバー材で、吸収体の汚染防止、傷手当用品の支持、吸収体からの汚染物質脱落防止などの機能がある。図１の実施形態では、カバー材５０として液体浸透性の不織布を用いているが、このようなカバー材は傷からの滲出液が多量に出る場合に特に有利な構成である。つまり、過剰な滲出液がカバー材から滲みでてくるので、カバー材の上に本発明の傷手当用品とは別の吸収パッドを載置すれば、本発明の傷手当用品を除去することなく必要に応じてこの吸収パッドのみを交換することができ、滲出液管理を簡便に行うことができる。また、このようにカバー材を液体浸透性にした場合、本発明の傷手当用品は、陰圧創傷閉鎖法（Ｎｅｇａｔｉｖｅ-Ｐｒｅｓｓｕｒｅ Ｗｏｕｎｄ Ｔｈｅｒａｐｙ）や創洗浄システムに用いるパッドとしても有用である。具体的には、次のような方法で使用することができる。まず、本発明の傷手当用品を傷上に載せ、それから傷手当用品のカバー材の上にチューブを置き、このチューブにポンプなどの流体吸引源及び／又は洗浄液バッグなどを接続する。そして、そのチューブの上から傷手当用品全体が密閉状態になるように、液体不透過性の粘着フィルム又は袋で患部全体を被覆する。そして、チューブを介して吸引及び／又は液体を流入することで、傷の排液や洗浄を行い、創治癒の促進を図ることができる。本発明の傷手当用品は、流体の透過性が良好で、かつ本品を除去する際には剥離刺激が少ないため、これらの治療方法と組合わせることで簡便かつ効果的な治療が行える。【００２３】
なお、図１の実施形態では、孔開き材料２０の表面全部（上面、底面、及び貫通孔の内周面）に粘着性のシリコーン樹脂を被覆した例を示したが、孔開き材料の底面のみを被覆する態様、孔開き材料の底面及び上面のみを被覆する態様にしてもよい。
また、孔開き材料２０は、貫通孔２１の全部がシリコーン樹脂で塞がれないようにシリコーン樹脂で被覆されることが好ましいが、吸収体内部への通液を阻害しなければ貫通孔２１の一部がシリコーン樹脂で塞がれていても良い。
また、孔開き材料２０と吸収体３０との接着は、アクリル系粘着剤、ゴム系粘着剤、ポリウレタン系粘着剤等のシリコーン樹脂以外の粘着剤で接着してもよいし、熱溶着により接着してもよい。【００２４】
図２は、本発明の傷手当用品に係る図１とは異なる実施形態で、ａ）は上面からみた斜視図、ｂ）は底面からみた斜視図、ｃ）はａ）図のＣ−Ｃ線に沿う拡大断面図である。
図２の実施形態は、図１で示した実施形態と、カバー材５１が異なる。即ち、カバー材５１は、液体不浸透性且つ水蒸気透過性のプラスチックフィルムからなり、その底面に粘着性のシリコーン樹脂５２が被覆され、更にその外周縁が吸収体３０の外周縁より外側に伸びている。この傷手当用品を患部に固定した際には、前記の外側に伸びた部分が吸収体以下の部材を覆う状態となる。
従って、図２の実施形態によれば、カバー材５１により、簡便に患部に傷手当用品を固定でき、滲出液が過剰な場合でも吸収体の外周縁から滲出液が漏れ出ることを防止でき、さらに傷を適度な湿潤環境に保つことができるので創治癒促進をはかることができる。【００２５】
図３は、本発明の図１に係る傷手当用品の形状を変えた実施形態である。この実施形態によれば、踵、肘、膝、仙骨、前腕などの突出部、湾曲部に貼付した場合でも、患部によくフィットし、シワなく傷手当用品を適用することができる。【００２６】
また、本発明の傷手当用品の形状は、上記の実施態様の形状に限定されず、人体の各部位の形状に適用し易い各種の形状を用いることができ、患部に被せたり、巻き付けたりして装着できる被服形態とすることもできる。本発明の被服形態の傷手当用品としては、例えば、四肢、体幹（胸部又は腹部など）、頚部、頭部等を被覆するスリーブ状や帯状の被服、シャツ状（袖ありシャツ、袖なしシャツ等）等の上半身用被服、ソックス状、ハイソックス状、ストッキング状、タイツ状、パンツ状等の下半身用被服等の形状を備えたものが好ましい。特に、スリーブ状や下半身用被服の形状が好ましく、近年増加する糖尿病性足病変や末梢動脈疾患（ＰＡＤ：ｐｅｒｉｐｈｅｒａｌ  ａｒｔｅｒｉａｌ  ｄｉｓｅａｓｅ)に伴う潰瘍や足切断の治療に有効である。傷手当用品をこのような被服形態にする場合は、被服の皮膚に接する内面側に低粘着性樹脂で被覆された孔開き材料を配置する構成にすればよく、公知の縫製、編成、製織技術等を適宜用いることができる。
また、上記図１〜３に示した実施態様では、孔開き材料及び吸収体を被覆す低粘着性樹脂としてシリコーン樹脂を用いた例を示したが、シリコーン樹脂以外の低粘着性樹脂を用いる態様にしてもよい。【００２７】
次に図４および図５により、本発明の傷手当用品の製造方法を説明する。
本発明の傷手当用品は、Ｐ１、Ｐ２（Ｐ２Ａ）、Ｐ３の工程を順次経て製造される。なお、図５は、前記各工程を連続的に行なう状態を模式的に示す図であり、各工程は、実質的に図４と同様である。
Ｐ１の工程は、剥離シート６０にシリコーン樹脂４０を塗工する工程である。剥離シートとしては、シリコーン系やフッ素系の剥離剤により処理された剥離紙、剥離フィルム、又はポリカーボネート、ポリビニルアルコール、セロハン、ウレタン等のフィルムを使用することができる。
Ｐ２の工程では、Ｐ１の工程により塗工した硬化前のシリコーン樹脂塗工面４０に孔開き材料２０を載せ、さらに孔開き材料２０の上面に吸収体３０（この吸収体はカバー材５０を予め吸収体の上面に積層しておくことも可能である）を載せる。この際、シリコーン樹脂、孔開き材料、及び吸収体の積層は、図４および図５に示すようにほぼ同時に行っても良いし、孔開き材料を先にシリコーン樹脂上に供給し、次いで吸収体を供給するようにしてもよい。このように、シリコーン樹脂上に孔開き材料を載置し、さらにその上に吸収体を載置することで、孔開き材料の貫通孔以外の部分と、吸収体の孔開き材料の貫通孔に対向する部分にシリコーン樹脂が被覆される。
なお、このＰ２の工程としては、次に示すＰ２Ａの工程が特に好ましい。Ｐ２Ａの工程では、先ずＰ２の工程と同様に硬化前のシリコーン樹脂塗工面４０に孔開き材料２０を載せ、孔開き材料２０の上面に吸収体３０を載せる。次いで、これらの積層物に適当な荷重７０を加えるなどして、シリコーン樹脂４０を孔開き材料２０の底面から内部に浸透させ孔開き材料の上面に至らせることで孔開き材料２０と吸収体３０とをシリコーン樹脂４０により接着する。また、この孔開き材料２０と吸収体３０の接着と同時に、孔開き材料の貫通孔部分に存在するシリコーン樹脂を吸収体表面に吸収させ、吸収体の孔開き材料の貫通孔と対向する部分にシリコーン樹脂を被覆する。即ち、Ｐ２Ａの工程は、孔開き材料の貫通孔を塞がずに孔開き材料をシリコーン樹脂で被覆するとともに、吸収体にもシリコーン樹脂を被覆し、さらに、孔開き材料と吸収体との接着も同時に達成することができる工程である。
Ｐ３の工程は、Ｐ２（Ｐ２Ａ）の工程により孔開き材料と吸収体に塗工したシリコーン樹脂を加熱硬化させる工程であり、未硬化で液状のシリコーン樹脂がこの工程を経て硬化し、本発明の傷手当用品１０が完成する。
なお、シリコーン樹脂の種類や塗工量、孔開き材料と吸収体の種類、荷重の程度等をコントロールすることにより、本発明の種々の実施形態を製造することができる。
また、本発明の傷手当用品は、上記以外の方法でも製造することができ、例えば、孔開き材料を未硬化のシリコーン樹脂に浸漬し、余分なシリコーン樹脂を搾った後その上に吸収体を載せ、シリコーン樹脂を加熱硬化させ、その後スプレー等によりシリコーン樹脂を吹き付け、吸収体の孔開き材料の貫通孔と対向する部分をシリコーン樹脂で被覆する方法がある。
また、上記図４、５に示した本発明の製造方法の実施態様では、孔開き材料及び吸収体を被覆す低粘着性樹脂としてシリコーン樹脂を用いた例を示したが、シリコーン樹脂以外の低粘着性樹脂を用いる場合も同様の方法で実施できる。【００２８】
次に、本発明の傷手当用品を構成している各材料等について述べる。【００２９】
（孔開き材料）
本発明の傷手当用品に使用する孔開き材料は、上面及び底面を有し、底面側が傷に対向する面となる。孔開き材料は、上面から底面に連通する複数の貫通孔を有することが必要である。傷からの血液、滲出液などを、孔開き材料の貫通孔を通して吸収体に吸収させるためである。
孔開き材料に設ける貫通孔の平均断面積は、孔開き材料の表面において空孔１つ当たり０．０1〜１０ｍｍ2であることが好ましく、０．１〜５ｍｍ2であることが更に好ましい。貫通孔の平均断面積が０．０１ｍｍ2より小さいと、シリコーン樹脂で孔開き材料を被覆する際、シリコーン樹脂が孔開き材料の貫通孔を塞ぎ、滲出液が孔開き材料から吸収体に移動しなくなる恐れがある。また、貫通孔の平均断面積が１０ｍｍ2より大きいと、孔開き材料と創面との十分な接触面積が得られず、傷手当用品の傷に対する密着性が低下し滲出液が漏れる場合がある。
本発明の孔開き材料において、貫通孔の開孔率は、５〜７０％であることが好ましく、１５〜５０％であることが更に好ましい。貫通孔の開孔率が５％より小さいと、滲出液が孔開き材料から吸収体に移動しなくなる恐れがあり、７０％より大きいと孔開き材料と創面との十分な接触面積が得られず、傷手当用品の傷に対する密着性が低下し滲出液が漏れる場合がある。
特に好適な孔開き材料は、貫通孔の平均断面積が０．1〜１ｍｍ2であり、且つ、貫通孔の開孔率が１５〜４０％の範囲にあるものである。
また、孔開き材料の厚さは、滲出液の吸収体への移動性と創面への非固着性の観点から、０．０５〜０．７ｍｍの範囲であることが好ましい。【００３０】
本発明で使用可能な孔開き材料としては、貫通孔を有するシート状材料であれば特に限定されず、編布、織布、不織布、ネット等の繊維状材料、孔開きプラスチックフィルム等が挙げられる。好ましい孔開き材料は、液体浸透性の繊維状材料であるが、特に好ましくは、貫通孔形成が容易で、本発明の傷手当用品の製造方法にも最適な編布である。
孔開き材料は、これら材料の一種類を単独で使用してもよいし、同一又は異なる種類の材料をラミネートした積層構造のものであってもよい。
孔開き材料に用いる編布としては、経編及び緯編の各種編組織が利用できる。特に好適な編布は、平編生地、ゴム編生地、トリコット生地、ラッシェル生地である。織布は、平織、綾織及び朱子織のいずれであってもよい。不織布は、フリース形成法として、乾式法、湿式法及びスパンボンド法のいずれを使用したものであってもよく、繊維結合が、スパンレース法、ニードルパンチ法、ケミカルボンド法、ポイントシール法、サーマルボンド法等のいずれの方法で形成されたものであってもよい。
ネットは、複数の長繊維を網目が形成されるように適当な間隔をあけて配置し、これを熱融着や接着剤等の結合手段により繊維同士を結合して形成したものを使用できる。
編布、織布、不織布、ネット等の繊維状材料を構成する糸としては、モノフィラメント、マルチフィラメント、撚糸、カバードヤーン、コアヤーン等が利用でき、伸縮加工や嵩高加工等を施したものを利用してもよい。
繊維の種類も特に限定されず、ポリエステル系繊維、アクリル系繊維、ポリアミド系繊維、ポリウレタン系繊維、セルロース系繊維（綿、レーヨン、ポリノジック、リヨセル）、ポリオレフィン系繊維、ポリ塩化ビニル系繊維、ポリ塩化ビニリデン系繊維、ガラス繊維、カーボンファイバー繊維等が利用できる。
特に好ましい繊維材料は、熱可塑性のポリエステル系繊維、アクリル系繊維及びポリアミド系繊維である。【００３１】
孔開き材料における貫通孔の配置は、特に限定されず、規則的に又はランダムに点在させてもよいし、格子状、波状、同心円状、渦巻き状等の所定パターンを形成して配置してもよいが、孔開き材料全体で均一な滲出液透過ができるように、均一間隔をあけて配置されていることが好ましい。
孔開き材料の貫通孔は、編布の編目による貫通孔、繊維の組織（糸の太さ、密度等を含む）のバランスにより布表面に生じる貫通孔、織布の経糸と緯糸の間に形成される空隙等の繊維材料が本来有するものであってもよいし、後加工で物理的に穿孔した貫通孔であってもよい。
これらの中でも、編布のループによる貫通孔又は編組織（糸の太さ、密度等を含む）のバランスにより布表面に生じる貫通孔は、繊維材料自体に人体へのフィット性があり、シリコーン樹脂層を塗布した際に貫通孔が閉塞され難いので、好適である。【００３２】
（吸収体）
本発明の傷手当用品に使用する吸収体は、傷からの血液、滲出液を吸収、保持するためのものであり、孔開き材料の上面に配置される。
吸収体は、不織布、編布、織布等の繊維状材料、フォーム材料、吸収性樹脂材料、吸水性粉末材料などからなるものを使用することができ、繊維状材料、フォーム材料が好ましい。吸収体は、これら材料の一種類を単独で使用してもよいし、同一又は異なる種類の材料をラミネートした積層構造のものであってもよい。
特に、繊維状材料からなるものが好ましく、セルロース系繊維（綿、レーヨン、ポリノジック、リヨセル）、ポリエステル系繊維、アクリル系繊維、ポリアミド系繊維、ポリウレタン系繊維、又はこれらの混合繊維が好適な繊維材料である。また、これらの繊維材料中に、吸収性樹脂材料、吸水性粉末材料などの吸水性の高い材料を混ぜ込むことができ、必要とされる吸収量を適宜調整することができる。
また、吸収体を構成する材料として、吸水時にゲルを形成する物質を含ませることが好ましく、このような材料を使用することで、創傷を湿潤状態に保ち、傷の治癒を促進することができる。ゲル形成材料としては、ナトリウムカルボキシメチルセルロース、ナトリウムカルボキシメチルセルロースの架橋物、デンプン−アクリル酸（塩）グラフト共重合体、アクリル酸(塩)重合体、デンプン−アクリロニトリル共重合体、多価アルコール等が好ましい。【００３３】
（低粘着性樹脂）
本発明の傷手当用品に使用する低粘着性樹脂は、特に限定されず、本発明の傷手当用品を患部に適用して除去する際に、皮膚や傷に過度な刺激や損傷を与えない程度の粘着性を有しているものであればよい。なお、本発明における、低粘着性樹脂には、天然又は合成で得られる高分子物質及びこれら複数の混合物、並びにこれらの高分子物質にそれ以外の物質を加えたものを含むものとする。本発明に用いる低粘着性樹脂は、疎水性、親水性いずれでもよく、また、適当な液状物質と組合せて、オルガノゲルやハイドロゲルの形態として用いることができる。また、親水性高分子化合物とブレンドして、いわゆる、ハイドロコロイドの形態として用いることもできる。低粘着性樹脂としては、特に、疎水性樹脂であることが好ましく、疎水性ゲルの形態で用いることが好ましい。疎水性樹脂の材料としては、その樹脂で形成した層の表面と水との接触角が６５°以上になるものを選択すればよく、例えば、シリコーン樹脂、アクリル樹脂、メタクリル樹脂、ポリ塩化ビニル樹脂、ポリ塩化ビニリデン樹脂、フッ素樹脂、オレフィン樹脂、ポリエステル樹脂、スチレン樹脂、ウレタン樹脂、ポリアミド樹脂、及びこれらの混合物等を挙げることができる。特に、シリコーン樹脂を含む材料からなるものが好ましい。接触角の測定は、接触角計ＣＡ−Ａ（協和界面科学社製）を使用して該接触角計の取扱説明書「液滴法測定操作」に準拠して測定することができる。【００３４】
（シリコーン樹脂）
本発明の傷手当用品に使用する低粘着性樹脂として好適なシリコーン樹脂は、傷に対する固着性を低減するために、孔開き材料の少なくとも底面と、吸収体の孔開き材料の貫通孔と対向する部分に被覆される。
本発明で用いるシリコーン樹脂は、取り扱いの簡便性と、傷に対する固着性の観点から、粘着性を有するゲル状物質であることが好ましい。
シリコーン樹脂は、特に限定されず、付加反応型、過酸化反応型、又は縮合反応型のいずれを使用してもよいが、付加反応型のシリコーン樹脂が好ましい。
付加反応型シリコーン樹脂は、ケイ素原子に結合したアルケニル基を有するオルガノポリシロキサン（アルケニル基含有オルガノポリシロキサン）とヒドロシリル基（Ｓｉ−Ｈ）を有するオルガノポリシロキサン（ハイドロジェンオルガノポリシロキサン）とを、塩化白金酸等の白金化合物触媒を用いて、付加反応（ヒドロシリル化反応）させたものである。
付加反応型シリコーン樹脂は、その合成に用いるオルガノハイドロジェンポリシロキサンの量や、オルガノハイドロジェンポリシロキサン分子内のヒドロシリル基（Ｓｉ−Ｈ）の量を変化させることによって、架橋密度を調整することができる。これにより、シリコーン樹脂の硬さや粘着力を容易に調整することができる。本発明に使用する付加反応型シリコーン樹脂としては、ビニル基置換ポリジメチルシロキサンとオルガノハイドロジェンポリシロキサンとの付加反応物であることが好ましい。
シリコーン樹脂は、一種類を単独で使用しても、二種類以上を組み合わせて使用してもよい。シリコーン樹脂は、架橋等により硬化されていることが好ましい。シリコーン樹脂の硬化方法は、特に限定されず、加熱等により容易に架橋させることができる。【００３５】
また、シリコーン樹脂には、更に、薬剤、吸水性高分子化合物、ｐＨ調整剤等のその他の調整剤を、本発明の目的を損なわない程度において、適宜配合することができる。薬剤の例としては、保湿、老化防止、美白等の目的で皮膚の生理機能を調整する物質や、傷の治癒を促進する物質、抗菌性を有する物質等を示すことができる。その具体例としては、スフィンゴ脂質、尿素、グリコール酸、アミノ酸及びその誘導体（アルギニン、システイン、グリシン、リシン、プロリン、セリン等）、タンパク質加水分解物（コラーゲン、エラスチン、ケラチン等）、ムコ多糖及びその誘導体（ヒアルロン酸、コンドロイチン硫酸、ヘパリン等）、ビタミンＢ群（チアミン、リボフラビン、ニコチン酸、ピリドキシン、ピリドキサール、ピリドキサミン、ビオチン、葉酸、シアノコバラミン等）、アスコルビン酸（ビタミンＣ及びその誘導体）、レチノイド（ビタミンＡ、レチナール、レチノイン酸等）、ビタミンＤ（Ｄ２、Ｄ３等）、ビタミンＥ及びその誘導体、カロチノイド（カロチン、リコピン、キサントフィル等）、酵素、補酵素、γ―オリザノール等が挙げられ、スフィンゴ脂質が特に好適である。スフィンゴ脂質としては、スフィンゴシンと脂肪酸が結合したセラミド、セラミドと糖が結合したスフィンゴ糖脂質が好ましい。セラミドは、天然、合成いずれのものを使用してもよく、タイプ１〜７のセラミドを挙げることができるが、タイプ２、５、７のセラミドが特に好ましい。スフィンゴ糖脂質としては、セレブロシド、ガラクトシルセラミド、グルコシルセラミド等が好ましい。
吸水性高分子化合物、ｐＨ調整剤としては公知のものを使用することができる。【００３６】
（カバー材）
本発明の傷手当用品は、吸収体の汚染防止、傷手当用品の取り扱い性、吸収体からの汚染物質脱落防止の観点から、吸収体の上面にカバー材を被覆することが好ましい。
カバー材は、傷からの滲出液の量や使用する場面にあわせて選択することができ、滲出液の量が多い場合は液体浸透性の材料を用いるのが好ましく、滲出液の量がそれほど多くない場合は、液体不浸透性且つ水蒸気透過性の材料を用いるのが好ましい。
また、カバー材は、底面に粘着剤を被覆すると共に、その外形を孔開き材料及び吸収体よりも大きく形成することで、孔開き材料及び吸収体の外周縁より外側にでた部分により、患部に粘着固定することが可能となる。
カバー材の底面を被覆する粘着剤としては、孔開き材料及び吸収体を被覆するシリコーン樹脂と同様のものを使用できるが、例えば、アクリル系粘着剤、ゴム系粘着剤、吸水性高分子を含有する所謂ハイドロコロイド粘着剤等のシリコーン樹脂以外の粘着剤を用いることもできる。
カバー材の材料としては、不織布、編布、織布、ネット等の繊維状シート、合成樹脂フィルム、フォーム等をあげることができ、これら材料の適宜選択により液体浸透性の程度をコントロールすることができる。【００３７】
（孔開き材料と吸収体への低粘着性樹脂の被覆）
本発明の傷手当用品は、孔開き材料の少なくとも底面が、貫通孔全部が塞がれることがないように貫通孔の少なくとも一部を残して低粘着性樹脂で被覆される。孔開き材料の底面側から吸収体内部へ液体が通過するのであれば孔開き材料の貫通孔の一部が低粘着性樹脂で塞がれても良いが、貫通孔の６０％以上が低粘着性樹脂で塞がれることなく貫通部分を残していることが好ましく、貫通孔の８０％以上が残っていることが更に好ましく、貫通孔のほぼ全部が低粘着性樹脂で塞がれずに残っていることが特に好ましい。特に、孔開き材料の底面のほぼ全面が、貫通孔のほぼ全部が塞がれることがないように貫通孔のほぼ全部を残して低粘着性樹脂で被覆されることが好ましい。孔開き材料の貫通孔が低粘着性樹脂により塞がれないため、孔開き材料の底面側から吸収体内部への滲出液の通過が可能となる。
孔開き材料は、傷への固着性を低減するために、その上面も低粘着性樹脂で被覆されることが好ましく、貫通孔の内周面を含めた孔開き材料の全表面を低粘着性樹脂で被覆されることがより好ましい。
また本発明の傷手当用品は、吸収体の孔開き材料の貫通孔と対向する部分の少なくとも一部が、低粘着性樹脂で被覆される。ただし、吸収体を低粘着性樹脂で被覆をしたとしても、開き材料の底面側から吸収体内部へ血液、滲出液等の液体が通過し得ることが必要である。そのような液体の通過を可能とするためには、吸収体の孔開き材料の貫通孔と対向する部分が、液体が通過することを阻害しない程度に低粘着性樹脂で被覆されていることが好ましい。
吸収体は、孔開き材料の６０％以上の貫通孔と対向する部分が、低粘着性樹脂で被覆されていることが好ましく、孔開き材料の８０％以上の貫通孔と対向する部分が、低粘着性樹脂で被覆されていることがさらに好ましく、孔開き材料のほぼ全部の貫通孔と対向する部分が、低粘着性樹脂で被覆されていることが特に好ましい。このような割合で吸収体に低粘着性樹脂を被覆することで、傷への局所的な付着、組織損傷を防ぎ、傷接触面全体で剥離刺激を抑えることができる。
吸収体を被覆する低粘着性樹脂の量は、５〜１５０ｇ／ｍ2である事が好ましく、１５〜１００ｇ／ｍ2が更に好ましい。吸収体を被覆する低粘着性樹脂の量が５ｇ／ｍ2より少ないと、吸収体と傷との固着を防ぐことが困難になり、１５０ｇ／ｍ2より多いと、低粘着性樹脂が吸収体の空孔部分を塞いでしまい滲出液の吸収が効率良く行なわれない可能性がある。【００３８】
また、孔開き材料と吸収体とを、孔開き材料の上面に位置する低粘着性樹脂により接着することが、傷への固着性及び製造上の観点から好ましい。孔開き材料と吸収体とを低粘着性樹脂で接着する態様としては、低粘着性樹脂を孔開き材料の底面から内部に浸透させ孔開き材料の上面に至らせ、その低粘着性樹脂により接着する態様を用いることが好ましい。このような態様によれば、孔開き材料の低粘着性樹脂による被覆と、孔開き材料と吸収体の一体化とを同時に行うことができ、製造上有利である。
なお、孔開き材料と吸収体の両方を含めた傷手当用品全体に付着させる低粘着性樹脂の量は、１５０〜３５０ｇ／ｍ2であることが好ましく、１７０〜２５０ｇ／ｍ2が更に好ましい。１５０ｇ／ｍ2より少ないと、傷との固着を防ぐことが困難になり、孔開き材料の内部に低粘着性樹脂を浸透させ孔開き材料と吸収体とを接着することが困難となる。また、３５０ｇ／ｍ2より多いと、低粘着性樹脂が孔開き材料の貫通孔と吸収体の空孔部分を塞いでしまい滲出液の吸収が効率良く行なわれなくなる可能性がある。
本発明の傷手当用品の粘着力は、０．１〜１．５Ｎ/２５ｍｍであることが好ましく、０．１５〜１．２Ｎ/２５ｍｍであることが更に好ましい。傷手当用品の粘着力が０．１Ｎ/２５ｍｍより低いと患部への密着性が損なわれる恐れがあり、１．５Ｎ/２５ｍｍより高いと、傷手当用品の交換時に創傷面を損傷してしまう恐れがある。なお、上記図２の実施形態のように、吸収体の外周縁より延出させた粘着性のカバー材を設ける場合は、本発明の傷手当用品に使用する低粘着性樹脂を、粘着性がほとんど発揮されないように構成してもよい。
【実施例】
【００３９】
以下に、実施例に基づいて本発明を更に詳細に説明するが、本発明はこれらに限定されない。
また、本発明の傷手当用品に関する特性は、以下の方法により測定した。【００４０】
〔孔開き材料の貫通孔平均断面積（単位：ｍｍ2）〕
孔開き材料の底面を垂直方向（底面と直交する方向）から顕微鏡にて観察し、５個の貫通孔の断面積を測定して、その平均値を求める。【００４１】
〔孔開き材料の開孔率（単位：％）〕
孔開き材料の底面を垂直方向（底面と直交する方向）から顕微鏡にて観察し、一定面積内で何個の孔が存在するか数え、上記で算出した断面積の平均値を基に求める。【００４２】
〔孔開き材料の厚さ（単位：ｍｍ）〕
ＪＩＳ  Ｌ  １０９６「一般織物試験方法」に準じて、低粘着性樹脂を被覆する前の厚さを測定する。【００４３】
〔傷手当用品の粘着力（単位：Ｎ／２５ｍｍ）〕
ＪＩＳ  Ｚ  ０２３７-２０００「１８０度引き剥がし粘着力」に準じて測定する。ただし、被着体にはベークライト板を使用する。【００４４】
〔吸収体の低粘着性樹脂被覆量（ｇ／ｍ2）〕
傷手当用品を作製する前に、低粘着性樹脂が被覆される前の吸収体の重量を予め測定しておく（Ｗ１）。傷手当用品を作製後、孔開き材料と吸収体を分離し、再度重量を測定する（Ｗ２）。Ｗ１とＷ２の重量変位から単位面積あたりの吸収体の低粘着性樹脂被覆量（ｇ／ｍ2）を算出する。【００４５】
〔実施例１〕
図４で説明したＰ１、Ｐ２Ａ、Ｐ３の工程を経る製造方法に従い作製した。具体的には、次の通りである。
ビニル基置換ポリジメチルシロキサン、オルガノハイドロジェンポリシロキサン及び白金触媒を主体とする２成分型の付加反応型シリコーン樹脂（ダウコーニング社製、商品名「ＤＯＷ  ＣＯＲＮＩＮＧ  ７−９８００」）を混合し、得られた混合液をシリコーン剥離シートに一定の厚さで塗工した。次いで、塗工したシリコーン樹脂上に、ポリエステル製のトリコット編かなる孔開き材料と、レーヨン繊維等を含む不織布からなる吸収体を供給する。それから、シリコーン樹脂、孔開き材料、及び吸収体からなる積層体に一定の荷重を加え、孔開き材料と吸収体をシリコーン樹脂で被覆すると共に、孔開き材料と吸収体をシリコーン樹脂により接着する。その後、１１０℃で２分間加熱し、シリコーン樹脂を硬化させ、本発明の傷手当用品を得た。得られた傷手当用品の孔開き材料側からの拡大図を図６に示す。図６によれば、吸収体の不織布の一部にシリコーン樹脂がからんで付着し、残りの部分には、シリコーン樹脂が付着せずに液体が通過可能な状態となっていることがわかる。【００４６】
［実施例２］
吸収体をポリウレタンフォームに代える以外は、実施例１と同様の方法で傷手当用品を得た。得られた傷手当用品の孔開き材料側からの拡大図を図７に示す。図７においても、吸収体のポリウレタンフォームの一部にシリコーン樹脂がからんで付着している状態がわかる。【００４７】
［比較例1］
孔開き材料の底面にのみシリコーン樹脂を被覆する以外は、実施例１と同じ構成で傷手当用品を作成した。即ち、比較例１の傷手当用品は、吸収体の孔開き材料の貫通孔と対向する部分がシリコーン樹脂で被覆されていない。得られた傷手当用品の孔開き材料側からの拡大図を図８に示す。【００４８】
実施例と比較例の評価結果を表１に示す。【００４９】
【表１】
2010122665.tif 000003
【００５０】
上記の実施例１と比較例１で得られた傷手当用品を用い、吸収体の孔開き材料の貫通孔と対向する部分の一部をシリコーン樹脂で被覆することにより、生体組織との固着性が改善されるのかどうかに関して次の評価を行った。【００５１】
〔固着性評価〕
６週齢のオスＳＤラットの左側腹部に直径３ｃｍの全層皮膚欠損層を作製する。作製した傷部に滅菌済みの傷手当用品を被覆し、その上から弾性包帯を巻いて固定する。傷を作製してから２日後、９日後に傷から傷手当用品を剥離し、その固着状況を観察する。【００５２】
（比較例１の結果）
比較例１で得られた傷手当用品では、２日後、孔開き材料のシリコーン樹脂被覆面では固着は見られなかったものの、孔開き材料の貫通孔部分で軽い固着を生じた。また剥離後の創面を観察すると創面が孔開き材料の形状に沿って凹凸を生じている様子が観察できた。
この結果は、ＳＤラットの創傷部の肉様膜組織が孔開き材料の貫通孔から侵入し吸収体に固着したために生じたものと推測される。９日後では、さらに強い固着を孔開き材料の貫通孔部分で生じた。傷手当用品を創面から引き剥がしたところ、創面から多量の出血が確認された。この結果は、２日後の場合と同様に新生した肉芽組織が貫通孔部から侵入し、吸収体の繊維を取り込み固着したために生じたものと推測される。結果を図９に示す。【００５３】
（実施例１の結果）
一方、実施例１で得られた傷手当用品では、２日後、全く固着を生じることなく剥離することができた。剥離後の創面も全く凹凸を生じていない。９日後では、孔開き材料の貫通孔部分で軽い固着を生じたものの、剥離後の創面からの出血はほとんど確認できなかった。実施例１と比較例１との構成の違いは、吸収体の孔開き材料の貫通孔と対向する部分の一部をシリコーン樹脂で被覆する点である。従って、本願発明が肉様膜及び肉芽組織による固着に対し有効であることが確認された。結果を図１０に示す。
【図１】
2010122665.tif 000004
【図２】
2010122665.tif 000005
【図３】
2010122665.tif 000006
【図４】
2010122665.tif 000007
【図５】
2010122665.tif 000008
【図６】
2010122665.tif 000009
【図７】
2010122665.tif 000010
【図８】
2010122665.tif 000011
【図９】
2010122665.tif 000012
【図１０】
2010122665.tif 000013
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
上面及び底面を有し複数の貫通孔を有する孔開き材料と、孔開き材料の上面に配置される吸収体とを備えた傷手当用品において、
孔開き材料の少なくとも底面が、貫通孔の全部が塞がれることがないように貫通孔の少なくとも６０％以上を残して低粘着性樹脂で被覆され、
吸収体の孔開き材料の貫通孔と対向する部分の少なくとも６０％以上が、低粘着性樹脂で被覆され、
低粘着性樹脂が、シリコーン樹脂、アクリル樹脂、メタクリル樹脂、ポリ塩化ビニル樹脂、ポリ塩化ビニリデン樹脂、フッ素樹脂、オレフィン樹脂、ポリエステル樹脂、スチレン樹脂、ウレタン樹脂、ポリアミド樹脂、及びこれらの混合物からなる群より選ばれる一種以上の樹脂であり、
孔開き材料の底面側から吸収体内部へ液体が通過し得るようにしたことを特徴とする傷手当用品。
【請求項２】
上面及び底面を有し複数の貫通孔を有する孔開き材料と、孔開き材料の上面に配置される吸収体とを備えた傷手当用品において、
孔開き材料の上面及び底面が、貫通孔の全部が塞がれることがないように貫通孔の少なくとも６０％以上を残して低粘着性樹脂で被覆され、
吸収体の孔開き材料の貫通孔と対向する部分の少なくとも６０％以上が、低粘着性樹脂で被覆され、
孔開き材料と吸収体とが、孔開き材料の上面に位置する低粘着性樹脂により接着され、
低粘着性樹脂が、シリコーン樹脂、アクリル樹脂、メタクリル樹脂、ポリ塩化ビニル樹脂、ポリ塩化ビニリデン樹脂、フッ素樹脂、オレフィン樹脂、ポリエステル樹脂、スチレン樹脂、ウレタン樹脂、ポリアミド樹脂、及びこれらの混合物からなる群より選ばれる一種以上の樹脂であり、
孔開き材料の底面側から吸収体内部へ液体が通過し得るようにしたことを特徴とする傷手当用品。
【請求項３】
低粘着性樹脂が、孔開き材料の底面から内部に浸透し孔開き材料の上面に至っていることを特徴とする請求項１または２に記載の傷手当用品。
【請求項４】
孔開き材料が、０．０１〜１０ｍｍ２の貫通孔平均断面積と、５〜７０％の開孔率とを備えることを特徴とする請求項１から３のいずれか一項に記載の傷手当用品。
【請求項５】
上面及び底面を有し複数の貫通孔を有する孔開き材料と、孔開き材料の上面に配置される吸収体とを備え、
孔開き材料の少なくとも底面が、貫通孔の全部が塞がれることがないように貫通孔の少なくとも６０％以上を残して低粘着性樹脂で被覆され、
吸収体の孔開き材料の貫通孔と対向する部分の少なくとも６０％以上が、低粘着性樹脂で被覆され、
低粘着性樹脂が、シリコーン樹脂、アクリル樹脂、メタクリル樹脂、ポリ塩化ビニル樹脂、ポリ塩化ビニリデン樹脂、フッ素樹脂、オレフィン樹脂、ポリエステル樹脂、スチレン樹脂、ウレタン樹脂、ポリアミド樹脂、及びこれらの混合物からなる群より選ばれる一種以上の樹脂であり、
孔開き材料の底面側から吸収体内部へ液体が通過し得るようにした傷手当用品の製造方法であって、
（Ｐ１）剥離シートに低粘着性樹脂を塗工する工程、
（Ｐ２）硬化前の低粘着性樹脂塗工面に孔開き材料を載せ、孔開き材料の上面に吸収体を載せ、孔開き材料及び吸収体に低粘着性樹脂を被覆する工程、
（Ｐ３）低粘着性樹脂を加熱硬化させる工程、
からなることを特徴とする傷手当用品の製造方法。
【請求項６】
上面及び底面を有し複数の貫通孔を有する孔開き材料と、孔開き材料の上面に配置される吸収体とを備え、
孔開き材料の少なくとも底面が、貫通孔の全部が塞がれることがないように貫通孔の少なくとも６０％以上を残して低粘着性樹脂で被覆され、
吸収体の孔開き材料の貫通孔と対向する部分の少なくとも６０％以上が、低粘着性樹脂で被覆され、
低粘着性樹脂が、シリコーン樹脂、アクリル樹脂、メタクリル樹脂、ポリ塩化ビニル樹脂、ポリ塩化ビニリデン樹脂、フッ素樹脂、オレフィン樹脂、ポリエステル樹脂、スチレン樹脂、ウレタン樹脂、ポリアミド樹脂、及びこれらの混合物からなる群より選ばれる一種以上の樹脂であり、
孔開き材料の底面側から吸収体内部へ液体が通過し得るようにした傷手当用品の製造方法であって、
（Ｐ１）剥離シートに低粘着性樹脂を塗工する工程、
（Ｐ２Ａ）硬化前の低粘着性樹脂塗工面に孔開き材料を載せ、孔開き材料の上面に吸収体を載せ、低粘着性樹脂を孔開き材料の底面から内部に浸透させ孔開き材料の上面に至らせることで孔開き材料と吸収体とを低粘着性樹脂により接着すると共に、孔開き材料及び吸収体に低粘着性樹脂を被覆する工程、
（Ｐ３）低粘着性樹脂を加熱硬化させる工程、
からなることを特徴とする傷手当用品の製造方法。
【国際調査報告】
2010122665.tif 000014
2010122665.tif 000015
2010122665.tif 000016
2010122665.tif 000017